(57)【要約】【課題】簡素な構造で、出入口部からの昆虫類の侵入を抑止できる昆虫類侵入防止装置を提供する。【解決手段】昆虫類侵入防止装置１１において、建物２７の出入口部１７の開口間口方向両端１９に渡る床部２１に延在して設けられ溝開口が床面２５と同一平面となる水路１３と、水路一端部３３に給水して水を水路他端部３５方向へ流す給水ポンプ１５と、を設けた。また、昆虫類侵入防止装置１１は、水路１３が往路水路３７と復路水路３９とからなり、往路水路３７と復路水路３９とが水路他端部３５で接続さて連通した水路１３を構成し、復路水路３９の水路一端部３３に還流した水が給水ポンプ１５によって往路水路３７の水路一端部３３に循環して給水されることが好ましい。【選択図】  図１
2014103907.tif 000002
【特許請求の範囲】
【請求項１】
壁部を床部の床面まで除いて形成した出入口部の開口間口方向両端に渡る床部に延在して設けられ溝開口が前記床面と同一平面となる水路と、
該水路の水路一端部に給水して水を水路他端部方向へ流す給水ポンプと、
を具備することを特徴とする昆虫類侵入防止装置。
【請求項２】
請求項１記載の昆虫類侵入防止装置であって、
前記水路が往路水路と復路水路とからなり、
前記往路水路と前記復路水路とは前記水路他端部で接続されて連通した水路を構成し、
前記往路水路の前記水路一端部より水が供給されて前記水路他端部にて前記復路水路へ折り返され、前記復路水路の前記水路一端部側に還流した水が前記給水ポンプによって前記往路水路の前記水路一端部に循環して給水されることを特徴とする昆虫類侵入防止装置。
【請求項３】
請求項１または２記載の昆虫類侵入防止装置であって、
前記水路には水を通過させるとともに昆虫類を捕捉する捕虫部が設けられることを特徴とする昆虫類侵入防止装置。
【請求項４】
請求項２または３記載の昆虫類侵入防止装置であって、
前記往路水路と前記復路水路との前記水路一端部が、前記床部に凹設された貯留槽に接続され、
前記貯留槽の貯留水が前記給水ポンプによって前記往路水路の前記水路一端部に給水され、
前記復路水路の還流水が前記貯留槽に再び貯留し、
前記貯留槽は、前記床面と同一平面の蓋によって覆われることを特徴とする昆虫類侵入防止装置。
【請求項５】
請求項１，２，３，４のいずれか１つに記載の昆虫類侵入防止装置であって、
前記水路は、溝底が下流方向に下り勾配の傾斜面で形成されていることを特徴とする昆虫類侵入防止装置。
【請求項６】
請求項１，２，３，４，５のいずれか１つに記載の昆虫類侵入防止装置であって、
前記出入口部の上縁には、少なくとも前記開口間口方向両端に渡る長さで前記水路に向かって所定の厚みの空気流を下向きに吹き出すエアカーテン生成装置が設けられていることを特徴とする昆虫類侵入防止装置。
【発明の詳細な説明】
【技術分野】
【０００１】
本発明は、医薬品、食品、電子部品、機械部品等の工場建物等への昆虫類の侵入を抑止する昆虫類侵入防止装置に関する。
【背景技術】
【０００２】
医薬品や食品を取り扱う各種の建物では高度の清浄度を維持しなければならず、当然に、清浄を維持するべき区画内への昆虫類の侵入を確実に防止する必要がある。一方、近年、地球環境保護への関心が高まり、殺虫剤一辺倒の防虫対策の反省から、施設の構造改善を含む総合的な防虫管理に、多くの工場が目を向け始めている。
【０００３】
例えば特許文献１に開示の防虫用エアカーテン装置は、室内空間への出入口を構成する通路空間の側部に、室外側エアを吸引する室外気吸込口と、通路空間を横方向に横断するエアカーテン気流吹出ノズルとを有するエア吸引吹出装置を設ける。吹出ノズルは吹出した気流が、適宜の吹出角度を有して室外空間側に向けて流れる吹出角度を保って配置され、通路空間の他側部には、エアカーテン気流と鋭角をなして当接し、エアカーテン気流を通路空間の室外空間側に逃がすバッフルボードを設けている。
【０００４】
この防虫用エアカーテン装置によれば、通路空間の一側にエア吸引吹出装置を、他側にバッフルボードを設けエア吸引吹出装置からのエアカーテン気流をバッフルボードに鋭角に当てることによりエアカーテン気流の下流部においてエアカーテン気流の密度が高くなり進入しようとする昆虫類を良好に排除することが可能となる。
【０００５】
ところで、エアカーテンやエアシャワー等の昆虫類侵入防止装置は、出入口に向かって飛び込んでくる昆虫類の侵入はほぼ防止できるが、床面を伝ってくる昆虫類の侵入は必ずしも充分に防止できない。すなわち、この種の装置は、通常、床面付近では流速が大きく低下してしまうため、床面にしっかりとしがみつきつつ這い込んでくる昆虫類の侵入を必ずしも確実に防止できない。
【０００６】
このような不具合を解消しようとするものの一つとして特許文献２に昆虫類侵入防止装置が開示されている。この昆虫類侵入防止装置は、捕獲対象の昆虫類を吸引可能なスリット部と、スリット部の下部に一体に接続されたチャンバ部とからなる捕獲機構を、昆虫類の侵入を防止するべき区画の出入口の外側または内側もしくはその双方の床面に全幅にわたって埋設する。スリット部の上部を吸込口として床面に開口させ、チャンバ部に吸込ブロワを接続して吸込口から床面近傍の空気を吸い込み、その吸引空気流によって床面を伝う昆虫類を吸い込んで捕獲する。
【先行技術文献】
【特許文献】
【０００７】
【特許文献１】特開２０１１−２２６６８７号公報
【特許文献２】特開２００７−２９５８６３号公報
【発明の概要】
【発明が解決しようとする課題】
【０００８】
しかしながら、上記した従来の昆虫類侵入防止装置は、出入口の外側または内側もしくはその双方の床面に全幅にわたって、スリット部とチャンバ部とを一体に接続した捕獲機構を埋設し、チャンバ部には吸込ブロワを接続して常時吸引運転を行う。また、チャンバ部には水勾配が設けられ、その水下側に水抜管が接続され、水抜管の先端部が封水機構を介して排水ピットに接続される。このため、出入口の床下に十分なスペースを必要とし、設備が複雑となる問題があり、また設置施工工事も大掛かりなものとなり、容易に設置できないという問題がある。
【０００９】
本発明は上記状況に鑑みてなされたもので、その目的は、簡素な構造で、出入口部からの昆虫類の侵入を抑止でき、特に床を這い、歩行にて侵入しようとする昆虫類の侵入を抑止できる昆虫類侵入防止装置を提供することにある。
【課題を解決するための手段】
【００１０】
次に、上記の課題を解決するための手段を、実施の形態に対応する図面を参照して説明する。
本発明の請求項１記載の昆虫類侵入防止装置１１は、壁部２３を床部２１の床面２５まで除いて形成した出入口部１７の開口間口方向両端１９に渡る床部２１に延在して設けられ溝開口３１が前記床面２５と同一平面となる水路１３と、
該水路１３の水路一端部３３に給水して水を水路他端部３５方向へ流す給水ポンプ１５と、
を具備することを特徴とする。
【００１１】
この昆虫類侵入防止装置１１では、水の流れの始端となる水路一端部３３に給水ポンプ１５から水が供給されると、水が流れの終端となる水路他端部３５に向かって流れ、出入口部１７と連続する床面２５が水路１３の流水面によって分断される。これにより、流水面を挟む一方側から他方側、すなわち、出入口部１７から侵入しようと歩行によって渡ろうとする昆虫類の侵入が困難となる。流水面に落下した昆虫類は、流れに乗って下流へ運ばれて、出入口部１７に到達できなくなる。出入口部１７の床部２１には水路１３のみを設ける簡素な構造とすることができる。また、水路１３の水は常に流れているので、よどまず、劣化しにくく、ボウフラ等が発生しにくい。
【００１２】
本発明の請求項２記載の昆虫類侵入防止装置１１は、請求項１記載の昆虫類侵入防止装置１１であって、
前記水路１３が往路水路３７と復路水路３９とからなり、
前記往路水路３７と前記復路水路３９とは前記水路他端部３５で接続されて連通した水路１３を構成し、
前記往路水路３７の前記水路一端部３３より水が供給されて前記水路他端部３５にて前記復路水路３９へ折り返され、該復路水路３９の前記水路一端部３３側に還流した水が前記給水ポンプ１５によって前記往路水路３７の前記水路一端部３３に循環して給水されることを特徴とする。
【００１３】
この昆虫類侵入防止装置１１では、例えば水路一端部３３から水路他端部３５へ一方向に水が流される一本（一段）の水路１３に比べ、一段目では一方向、二段目では逆方向となる他方向へ水の流れ方向が変わり、一段目の水路１３では通過できた昆虫類も、二段目の水路１３によって通過を阻止することが可能となる。また、水路１３をループ状とすることにより、水路１３の始端と終端とを同一側、例えば、水路一端部側に配置でき、水の給水と回収とを同時に行う循環のための貯留槽５３の設置が容易となる。
【００１４】
本発明の請求項３記載の昆虫類侵入防止装置１１は、請求項１または２記載の昆虫類侵入防止装置１１であって、
前記水路１３には水を通過させるとともに昆虫類を捕捉する捕虫部７３が設けられることを特徴とする。
【００１５】
この昆虫類侵入防止装置１１では、例えば水路１３の下流側となる終端に捕虫部７３を設けることで、この終端まで運ばれてきた昆虫類を、水と共に例えば網状のかご等からなる捕虫部７３に投入し、昆虫類のみを容易に捕捉することができる。また、水路１３を往路水路３７と復路水路３９とで構成する循環構造の場合に、貯留槽５３への還流水から昆虫類とともに異物も取り除くことができ、還流水の浄化にも寄与可能となる。
【００１６】
本発明の請求項４記載の昆虫類侵入防止装置１１は、請求項２または３記載の昆虫類侵入防止装置１１であって、
前記往路水路３７と前記復路水路３９との前記水路一端部３３が、前記床部２１に凹設された貯留槽５３に接続され、
前記貯留槽５３の貯留水５７が前記給水ポンプ１５によって前記往路水路３７の前記水路一端部３３に給水され、
前記復路水路３９の還流水が前記貯留槽５３に再び貯留し、
前記貯留槽５３は、前記床面２５と同一平面の蓋５９によって覆われることを特徴とする。
【００１７】
この昆虫類侵入防止装置１１では、床部２１が掘られて貯留槽５３が設けられ、この貯留槽５３に給水ポンプ１５が設置される。貯留槽５３に貯められた水（貯留水５７）は、貯留槽５３に接続する往路水路３７の水路一端部３３に給水ポンプ１５によって供給される。復路水路３９から戻された水（還流水）は、再び貯留槽５３に貯水（貯留水５７）となる。
【００１８】
本発明の請求項５記載の昆虫類侵入防止装置１１は、請求項１，２，３，４のいずれか１つに記載の昆虫類侵入防止装置１１であって、
前記水路１３は、溝底５５が下流方向に下り勾配の傾斜面で形成されていることを特徴とする。
【００１９】
この昆虫類侵入防止装置１１では、水路１３の水路一端部３３を流れの始端として供給された一定量の水は、水路１３の終端に向かって全てが流下することになる。
【００２０】
本発明の請求項６記載の昆虫類侵入防止装置１１は、請求項１，２，３，４，５のいずれか１つに記載の昆虫類侵入防止装置１１であって、
前記出入口部１７の上縁には、少なくとも前記開口間口方向両端１９に渡る長さで前記水路１３に向かって所定の厚みの空気流を下向きに吹き出すエアカーテン生成装置７５が設けられていることを特徴とする。
【００２１】
この昆虫類侵入防止装置１１では、出入口部１７の上縁には、エアカーテン生成装置７５のスリット状の吹出口が、出入口部１７の開口間口方向両端１９に渡って開口されている。エアカーテン生成装置７５の吹出口から所定速度の空気が整流されて吹き出されると、出入口部１７の開口面は、カーテン状となった所定厚の空気流によって覆われる。これにより、出入口部１７を飛翔して通過しようとする昆虫類は、下降する空気流によって急降下し、水路１３、若しくはその近傍に落下する。水路１３に直接落下、または歩行の後落下した昆虫類は水路１３によって捕虫部７３へ運ばれる。
【発明の効果】
【００２２】
本発明に係る請求項１記載の昆虫類侵入防止装置によれば、常に流れる水で出入口部と床面との連続を分断して、昆虫類の歩行を阻止できるとともに、水路に落下若しくは水中歩行を試みる昆虫類を水流によって流すことで、簡素な構造で、出入口部から建物内への昆虫類の侵入を抑止できる。また、水が常に流れているので水の劣化や淀み、汚濁が生じにくく、清潔感を保つことができる。
【００２３】
本発明に係る請求項２記載の昆虫類侵入防止装置によれば、出入口部と床面との連続を分断する水路が、往路水路と復路水路との二重となり、侵入防止効果が向上するとともに、水を循環させて再利用することで、経済性を高めることができる。
【００２４】
本発明に係る請求項３記載の昆虫類侵入防止装置によれば、水路に設けた捕虫部にて流水に落下した昆虫類を捕捉して、昆虫類の除去が容易となる。また、水路を循環させる構成の場合に、目詰まり等による給水ポンプへの悪影響を低減できる。
【００２５】
本発明に係る請求項４記載の昆虫類侵入防止装置によれば、貯留槽を地面よりも突出させずに設置して、目立たなくできるとともに、蓋を取り外してメンテナンスを容易に行うことができる。また、貯留槽とともに給水ポンプも地下に設置することで、建物出入口周辺の外観を損ねることなく、水を循環させることが可能となる。
【００２６】
本発明に係る請求項５記載の昆虫類侵入防止装置によれば、水の流下抵抗を少なくして、自然な流れを長距離に渡って生じさせることができるとともに、給水ポンプの停止時には、水路に水を残さずに回収でき、清掃やメンテナンスが良好に行えるようになる。
【００２７】
本発明に係る請求項６記載の昆虫類侵入防止装置によれば、飛翔により出入口部を通過しようとする昆虫類をエアカーテンによって水路に向かって落下させ、落下した昆虫類を水路によって流すことで、出入口部からの昆虫類の侵入を更に効果的に抑止できる。
【図面の簡単な説明】
【００２８】
【図１】本発明に係る昆虫類侵入防止装置の設けられた出入口部近傍の平面図である。
【図２】図１に示した水路他端部の拡大図である。
【図３】図１に示した水路一端部の拡大図である。
【図４】（ａ）は図３のＡ−Ａ断面図、（ｂ）は図３のＢ−Ｂ断面図である。
【図５】図３に示した貯留槽の断面図である。
【図６】貯留槽が水路と建物との間に設けられた貯留槽設置例の平面図である。
【図７】貯留槽が水路を挟んで建物と反対側に設けられた貯留槽設置例の平面図である。
【発明を実施するための形態】
【００２９】
以下、本発明に係る実施形態を図面を参照して説明する。
図１は本発明に係る昆虫類侵入防止装置の設けられた出入口部近傍の平面図、図２は図１に示した水路他端部の拡大図、図３は図１に示した水路一端部の拡大図、図４（ａ）は図３のＡ−Ａ断面図、（ｂ）は図３のＢ−Ｂ断面図、図５は図３に示した貯留槽の断面図、図６は貯留槽が水路と建物との間に設けられた貯留槽設置例の平面図、図７は貯留槽が水路を挟んで建物と反対側に設けられた貯留槽設置例の平面図である。
本実施形態に係る昆虫類侵入防止装置１１は、スリット状の水路１３と、この水路１３に水を供給する給水ポンプ１５とを有する。水路１３は、出入口部１７の開口間口方向両端１９に渡る床部２１に延在して設けられる。
出入口部１７は、壁部２３を床部２１の床面２５まで除いて形成される。本実施形態において、出入口部１７は、例えば玄関として、工場等の建物２７と外部との境に設けられる風除室２９に形成されるが、建物内の仕切り壁に設けられる開口、例えば区画された部屋間に設置される出入口や、廊下と部屋との境に設置される出入口であってもよい。出入口部１７が玄関である場合、床部２１は、例えば玄関ポーチとなる。
【００３０】
水路１３は、溝開口３１（図４参照）が床面２５と同一平面となる。給水ポンプ１５は、水路１３の水路一端部３３に給水して水を水路他端部３５方向へ流す。水路１３は一本のもので、水路一端部３３から供給した水を水路他端部３５側において、排水するものであってもよいが、本実施形態の水路１３は、往路水路３７と復路水路３９とからなる。
【００３１】
図２に示すように、往路水路３７と復路水路３９とは、水路他端部３５で接続され連通した水路１３を構成する。水路接続部分である折り返し部分は、流れ抵抗を小さくするために円弧状の還流溝４１として形成されることが好ましい。還流溝４１は、分割された複数の曲蓋４３によって覆われる。
【００３２】
往路水路３７及び復路水路３９は、出入口部１７の中央部、例えば扉７７や引戸等が配置される幅長部分では同一の溝幅で形成されるが、復路水路３９と建物２７とに挟まれる往路水路３７は、出入口部１７から外れた両側で図２、図３に示す拡幅部４５を有している。拡幅部４５は、復路水路３９と建物壁部との間に渡って形成されることで、水路１３と建物壁部との間に昆虫類の這うことが可能となる平坦面ができるだけ形成されないように、且つ建物壁部２３の壁面に水路１３（往路水路３７）の溝開口３１が近接するように形成している。
【００３３】
往路水路３７及び復路水路３９は、図４（ａ）に示すように、例えばステンレス鋼（ＳＵＳ）製の溝部材からなる。水路１３は、ＳＵＳ材を使用することで、水路内壁面を昆虫類が這うことを防ぎ、防虫、防塵及び耐腐食性が高められている。また、ＳＵＳ材以外には、合成樹脂製のレール状部材や、樹脂コーティングされた略Ｕ字溝構造の部材なども使用可能である。
【００３４】
水路上部の溝開口３１には、捕獲した昆虫類が溝内壁面を這い上がることを防止したり、水路１３の流水が床面２５等に飛散することを防止したり、建物２７に出入する人の障害にならないようにしたりするための１０〜２０ｍｍ程度の張出長を有する返し縁部４７が設けられる。図４（ｂ）に示すように、往路水路３７の水路一端部３３は閉塞板４９によって塞がれ、この閉塞板４９には給水ポンプ１５からの吐出管５１が貫通される。復路水路３９の水路一端部３３は、開放され、後述の貯留槽５３に接続されて、還流水が貯留槽５３に落下するように構成されている。
【００３５】
なお、これら往路水路３７と復路水路３９とは、溝底５５が下流方向に下り勾配の傾斜面で形成されていることが好ましい。また、これら往路水路３７と復路水路３９は、建物建造時に出入口部１７の構築とともに設置される施工手順と、既存の出入口部１７の床部２１をはつり、施工する手順と、いずれも配設可能である。
【００３６】
往路水路３７と復路水路３９との水路一端部３３は、床部２１に凹設された図３に示す貯留槽５３に接続される。貯留槽５３は、例えば、鉄筋コンクリート構造とすることができる。貯留槽５３内には、所定量の水である貯留水５７が貯水され、その水面は水路１３の水面よりも下方に位置するよう設定される。復路水路３９の還流水は、貯留槽５３に落下する。貯留槽５３に落下した還流水は、貯留槽５３内に配設される給水ポンプ１５によって汲み上げられ再び往路水路３７の水路一端部３３に給水される。貯留槽５３の貯留水５７（図５参照）は、給水ポンプ１５によって往路水路３７の水路一端部３３に、吐出管５１によって給水される。この貯留槽５３は、床面２５と同一平面の蓋５９によって覆われる。すなわち、貯留水５７の水面や給水ポンプ１５は表出しない。蓋５９は、保守点検時を除いて循環水の汚染及び安全性を配慮して、縞鋼板等を用いて扉構造とすることが好ましい。
【００３７】
吐出管５１には第１流量調整バルブ６１が設けられる。給水ポンプ１５と第１流量調整バルブ６１との間の吐出管５１には分岐配管６３が接続される。分岐配管６３の先端は、貯留槽５３に開口し、常時閉の水抜きバルブ６５によって閉じられる。分岐配管６３の途中には第２流量調整バルブ６７が設けられ、第２流量調整バルブ６７が開かれることで分岐配管６３は貯留槽５３へ開放可能となっている。つまり、第１流量調整バルブ６１と第２流量調整バルブ６７との弁開度を調整することで、吐出管５１の流量が調整可能となっている。
【００３８】
水路１３に流す流水量及び流水速度、水路１３の幅及び深さ、還流溝４１の曲率半径、給水ポンプ１５の吐出量等に関する各仕様は、捕獲対象として想定する昆虫類の種類や大きさ等を考慮して最適に設定する。例えば、カメムシ、テントウムシ、アリ、ハサミムシ等の昆虫類を想定した場合、好適な一例を挙げれば、水路１３の幅は６０ｍｍ程度、深さは１００ｍｍ程度、還流溝４１の曲率半径は４００ｍｍ程度、水路一端部３３及び水路一端部３３の付近での幅は１０５ｍｍ程度、水路１３内における流水の水深は４０〜５０ｍｍ程度、給水ポンプ１５の吐出量は１５０Ｌ／ｍｉｎ程度である。なお、水路１３に使用する水には、必要に応じて防腐剤等を添加、さらには殺虫成分を添加することとしてもよい。防腐剤は、夏期などの水温の高い時期に用いると良い。
【００３９】
なお、貯留槽５３には給水のための図示しない給水管６９が上水道本管等、或いは雨水貯水槽等から導入されている。また、貯留槽５３には図５に示す水位警報フロートスイッチ７１が設けられ、水位警報フロートスイッチ７１は満水警報及び減水警報を発報制御する不図示の発報装置と接続される。なお、この貯留槽５３の貯水量は例えば約８０Ｌを保つよう設定される。
【００４０】
本実施形態では、復路水路３９の水路一端部３３に捕虫部７３が設けられる。捕虫部７３は、貯留槽５３内面に吊り下げ状態となっており、復路水路３９からの落下する水を通過させるとともに昆虫類を捕捉する。捕虫部７３は、例えばステンレス鋼（ＳＵＳ）製のカゴや、樹脂製のカゴ、フレーム枠にネットを設けた捕虫網構造のもの等とすることができる。この捕虫部７３は、着脱自在な構成が好ましく、捕獲された昆虫類の廃棄を可能とし、または、捕虫ネット構造の場合では、ネットごと廃棄することも可能となる。また、この捕虫部７３内に殺虫手段などを設けるなどとしてもよい。
【００４１】
また、昆虫類侵入防止装置１１は、出入口部１７の上縁に、少なくとも開口間口方向両端１９に渡る長さで水路１３に向かって所定の厚みの空気流を下向き、或いは下向き且つやや出入口方向の斜めに吹き出す図１に示すエアカーテン生成装置７５が設けられていることが好ましい。エアカーテン生成装置７５は、出入口部１７の内側、本実施形態では風除室２９内に設けられる。エアカーテンを出入口部１７に形成することで、扉７７の開閉時に飛翔侵入するユスリカ、タマバエ、クロバネキノコバエなどの侵入をより効果的に防止することが可能となる。ここで、エアカーテンの平均風量は、捕獲対象として想定する昆虫類の種類や大きさ等を考慮し最適に設定する。ユスリカ、タマバエ、クロバネキノコバエなどを想定した場合、好適な一例を挙げれば、エアカーテンの平均風速は９．５ｍ/ ｓｅｃ程度である。これによって、出入口部１７の扉７７の開閉時に飛翔侵入する昆虫類をエアカーテン生成装置７５から吹出す気流により下降させるとともに、気流によって落ちた昆虫類を水路１３へ落下させ、この水路１３によって捕虫部７３へ移送することが可能となる。なお、このエアカーテン生成装置７５は、出入口部１７の上縁以外に、出入口部１７の左右側縁部に配置してもよく、例えば出入口部１７を引戸構成とした場合に有効となり、さらには、出入口部１７の側方からの空気流を、上下位置で風量を変えたりすることで、飛翔侵入する昆虫類を落下へと促すことが可能となる。
【００４２】
なお、貯留槽５３は、図１に示すように、水路１３の延長上に中心が位置するように設置される他、図６に示すように、建物２７が水路１３に近接する場合には、水路１３を挟んで建物２７の反対側に設置してもよい。また、これとは逆に、建物２７と水路１３との間に大きなスペースが確保でき、玄関での見栄えを良好としたい場合には、図７に示すように、貯留槽５３を水路１３と建物２７との間に設置してもよい。いずれの場合も、貯留槽５３は、地面より上方に突出しないように地下に設置することで、建物２７の出入口部１７周辺の外観を損ねることがない。
【００４３】
次に、上記構成を有する昆虫類侵入防止装置１１の作用を説明する。
昆虫類侵入防止装置１１では、水路１３が建物２７の出入口部１７の外側に設置され、往路水路３７の水路一端部３３に供給された水が往路水路３７を流れ、還流溝４１を介して復路水路３９を流れた後、復路水路３９の水路他端部３５から貯留槽５３へ還流水となって戻される。貯留槽５３に戻された還流水は、貯留槽５３の貯留水５７と混合して再び給水ポンプ１５によって往路水路３７の水路一端部３３に供給され、すなわち循環される。
【００４４】
昆虫類侵入防止装置１１では、水路一端部３３に給水ポンプ１５から水が供給されると、水が水路他端部３５に向かって流れ、出入口部１７と連続する床面２５が水路１３の流水面によって分断される。これにより、流水面を挟む一方側から他方側、すなわち出入口部１７から侵入しようと歩行によって渡ろうとする昆虫類の侵入が困難となる。流水面に落下した昆虫類は、流れに乗って下流へ運ばれて、出入口部１７に到達できなくなり、すなわち建物内への侵入を阻止する。出入口部１７の床部２１には水路１３のみを設ける簡素な構造とすることができる。また、水路１３の水は常に流れているので、淀まず、劣化しにくく、ボウフラ等が発生しにくい。
【００４５】
また、例えば水路一端部３３から水路他端部３５へ一方向に水が流される一本（一段）の水路１３に比べ、一段目では一方向、二段目では逆方向となる他方向へ水の流れ方向が変わり、一段目の水路１３では通過できた昆虫類も、二段目の水路１３によって通過を阻止することが可能となる。また、水路１３をループ状とすることにより、水路１３の始端と終端とを同一側、例えば、水路一端部側に配置でき、水の給水と回収とを同時に行う循環のための貯留槽５３の設置が容易となる。これにより、出入口部１７と床面２５との連続を分断する水路１３が、往路水路３７と復路水路３９との二重となり、侵入防止効果が向上するとともに、水を循環させて再利用することで、経済性を高めることができる。
【００４６】
また、復路水路３９の終端まで運ばれてきた昆虫類を、水とともに例えば網状のかご等からなる捕虫部７３に投入し、昆虫類のみを容易に捕捉することができる。また、流水から昆虫類とともに塵埃や異物も取り除くことができ、流水の浄化にも寄与可能となる。これにより、流水から昆虫類を捕捉して、昆虫類の除去が容易となり、給水ポンプ１５にて循環させる場合には、目詰まり等による給水ポンプ１５への悪影響を低減できる。
【００４７】
また、床部２１が掘られて貯留槽５３が設けられ、この貯留槽５３に給水ポンプ１５が設置される。貯留槽５３に貯められた水は、貯留槽５３に接続する往路水路３７の水路一端部３３に給水ポンプ１５によって供給される。復路水路３９から戻された水は、再び貯留槽５３に貯水となる。そして、往路水路３７の始端は貯水面よりも高く、復路水路３９の終端は貯水面よりも高く且つ往路水路３７の始端よりも低く設定される。これにより、貯留槽５３や給水ポンプ１５を地下に設置して、蓋５９で覆うことができ、外観として目立たなくできるとともに、蓋５９を取り外してメンテナンスを容易に行うことができる。
【００４８】
また、水路１３の溝底５５を下流方向に下り勾配の傾斜面とされ、往路水路３７の水路一端部３３に供給された一定量の水は、往路水路３７を通過した後、復路水路３９を経由して全てが貯留槽５３へ流下して戻されることになる。これにより、水の流下抵抗を少なくして、自然な流れを長距離に渡って生じさせることができるとともに、給水ポンプ１５の停止時に、水路１３に水を残さずに回収でき、清掃やメンテナンスが良好に行えるようになる。
【００４９】
更に、出入口部１７の上縁には、エアカーテン生成装置７５のスリット状の吹出口が、出入口部１７の開口間口方向両端１９に渡って開口されている。エアカーテン生成装置７５の吹出口から所定速度の空気が整流されて吹き出されると、出入口部１７の開口面は、カーテン状となった所定厚の空気流によって覆われる。これにより、出入口部１７を飛翔して通過しようとする昆虫類は、下降する空気流によって急降下し、水路１３、若しくはその近傍に落下する。水路１３に直接落下、または歩行の後落下した昆虫類は水路１３によって捕虫部７３へ運ばれる。この結果、飛翔により出入口部１７を通過しようとする昆虫類をエアカーテンによって水路１３に向かって落下させ、落下した昆虫類を水路１３によって流すことで、出入口部１７からの昆虫類の侵入を更に効果的に抑止できる。
【００５０】
従って、本実施形態に係る昆虫類侵入防止装置１１によれば、常に流れる水で出入口部１７と床面２５との連続を分断して、昆虫類の歩行を阻止できるとともに、落下若しくは水中歩行を試みる昆虫類を水流によって流すことで、簡素な構造で、出入口部１７からの昆虫類の侵入を抑止できる。また、水が常に流れているので水の劣化や汚濁が生じにくく、清潔感を保つことができる。
【符号の説明】
【００５１】
１１…昆虫類侵入防止装置
１３…水路
１５…給水ポンプ
１７…出入口部
１９…開口間口方向両端
２１…床部
２３…壁部
２５…床面
３１…溝開口
３３…水路一端部
３５…水路他端部
３７…往路水路
３９…復路水路
５３…貯留槽
５５…溝底
５７…貯留水
５９…蓋
７３…捕虫部
７５…エアカーテン生成装置
【図１】
2014103907.tif 000003
【図２】
2014103907.tif 000004
【図３】
2014103907.tif 000005
【図４】
2014103907.tif 000006
【図５】
2014103907.tif 000007
【図６】
2014103907.tif 000008
【図７】
2014103907.tif 000009